(57)【要約】【課題】保護層を厚く形成した場合であっても、フォーカスずれによる影響が少なく、高精度に標識用ビーズを読み取ることを可能とする。【解決手段】ピックアップ部１２は、レーザ光を出射するレーザ発振器１２６、レーザ光を前記バイオディスク１００上に集光させるとともに、レーザ光を集光したスポット形状が反射層１０２上においてはバイオディスクのトラック方向に平行する方向に長軸を持つ楕円形状となり、保護層１０３上に固定化された標識用ビーズ２００の読み取り位置においてはトラック方向に直交する方向に長軸を持つ楕円形状となるように設定されている対物レンズ１２１、およびバイオディスク１００上に集光したレーザ光の反射光を受光する受光部１３０を備える。標識用ビーズ検出部２５は、１３０受光部からの信号に基づき、バイオディスク１００の保護層１０３上に固定化されている生体試料が結合した標識用ビーズ２００の数量を計数する。【選択図】図７
2014115211.tif 000002
【特許請求の範囲】
【請求項１】
バイオディスクに照射するレーザ光を出射するレーザ発振器、前記レーザ光を前記バイオディスク上に集光させるとともに、前記バイオディスクが備える反射層上においては前記レーザ光を集光したスポット形状が前記バイオディスクのトラック方向に平行する方向に長軸を持つ楕円形状であり、前記バイオディスクが備える保護層上に固定化された前記標識用ビーズの読み取り位置においては前記レーザ光を集光したスポット形状が前記バイオディスクのトラック方向に直交する方向に長軸を持つ楕円形状となるように設定されている対物レンズ、および前記バイオディスク上に集光した前記レーザ光の反射光を受光する受光部、
を備えるピックアップ部、
前記受光部からの信号に基づき、前記バイオディスクの保護層上に固定化されている生体試料が結合した標識用ビーズの数量を計数する標識用ビーズ検出部、
を備えることを特徴とするバイオディスク読み取り装置。
【請求項２】
前記対物レンズの位置を駆動するアクチュエータの駆動を制御するサーボ制御部をさらに備え、
前記サーボ制御部は、前記反射層上におけるフォーカス位置から前記受光部において検出するトラッキングエラー信号の振幅が最大となる第１オフセット位置と、前記標識用ビーズの読み取りによる前記受光部が検出するＲＦ信号の振幅が最大となる第２オフセット位置との中間位置において、前記標識用ビーズの読み取り動作を行う、
ことを特徴とする請求項１に記載のバイオディスク読み取り装置。
【請求項３】
前記対物レンズの直前に非点収差を発生させる収差発生素子、および前記非点収差発生部に印加する電圧を制御する収差調整部をさらに備え、
前記収差調整部は、前記保護層の厚さに応じて前記収差発生素子に印加する電圧を制御することによって、前記対物レンズのスポット形状を設定する、
ことを特徴とする請求項１または請求項２に記載のバイオディスク読み取り装置。
【請求項４】
反射層上に保護層を備えるバイオディスクにレーザ光を照射し、前記照射したレーザ光の反射光に基づく信号を取得することにより、前記バイオディスクの保護層上に固定化されている生体試料が結合した標識用ビーズの数量を計数するバイオディスク読み取り方法であって、
前記反射層にフォーカスを合わせるステップ、
前記反射層におけるフォーカス位置から、前記レーザ光を集光したスポット形状が前記バイオディスクのトラック方向に平行する方向に長軸を持つ楕円形状であるとともにトラッキングエラー信号の振幅が最大値となる第１オフセット位置を検出するステップ、
前記標識用ビーズの読み取り位置においては前記レーザ光を集光したスポット形状が前記バイオディスクのトラック方向に直交する方向に長軸を持つ楕円形状であるとともに前記標識用ビーズの読み取りによるＲＦ信号の振幅が最大となる第２オフセット位置を検出するステップ、
前記第１オフセット位置と前記第２オフセット位置との中間位置において前記標識用ビーズの読み取り動作を行うステップ、
を備えるバイオディスクの読み取り方法。
【発明の詳細な説明】
【技術分野】
【０００１】
本発明は、光学的な方法により血液等の生体試料に含まれる抗原もしくは抗体などの生体高分子を分析するための、バイオディスク読み取り装置、バイオディスク読み取り方法に関する。
【背景技術】
【０００２】
生体試料としての抗原や抗体を結合させた標識用ビーズを基板上に結合させ、光学式のピックアップによって標識用ビーズを読み取る、バイオディスク読み取り装置が提案されている。また、記録媒体としてのＣＤやＤＶＤの読み取り装置をバイオディスク読み取り装置に適用することも提案されている（特許文献１）。
【先行技術文献】
【特許文献】
【０００３】
【特許文献１】特表２０００−５３０７８６号公報
【発明の概要】
【発明が解決しようとする課題】
【０００４】
バイオディスクの表面に、生体試料としての抗原や抗体を結合させた標識用ビーズを基板上に結合させるためには、生体試料と反応する官能基やタンパク質と結合する抗体などを、バイオディスク表面に固定する必要がある。これらの官能基やタンパク質を固定するためには、バイオディスクの表面を反応のための液体にさらす必要がある。また、官能基を反応させるためには、縮合剤等の化学薬品を使用する。さらに、タンパクの固定では、リン酸や炭酸などを含むバッファー溶液を用いて反応させる。また、検出したい生体物質そのものを反応させる場合も同様に生体反応に適したバッファー溶液を使用することになる。
【０００５】
このようなバイオディスクにおいては、上述した溶液に含まれる塩等により基板表面がダメージを受けない材料を使用する必要がある。
【０００６】
例えば、通常の光ディスクとして用いられているポリカーボネートのような樹脂材料は上記の溶液に対する耐性は非常に高い。一方、光ディスクの反射層として使われる銀やアルミニウム等の金属材料は、溶液にさらされることで酸化するなどして大きなダメージを受けてしまい、反射層としての機能が失われてしまう。
【０００７】
このために、反射層を保護するための保護層を厚く形成することにより、反射層へのダメージを低減することができる。しかし、保護層を厚く形成すると、反射層と保護層表面とのフォーカス位置が異なるため、集光したスポットのフォーカスずれの影響が大きくなるという問題もある。
【０００８】
本発明は、このような問題点に鑑みなされたものであり、保護層を厚く形成した場合であっても、フォーカスずれによる影響が少なく、高精度に標識用ビーズを読み取ることができる、バイオディスク読み取り装置、バイオディスク読み取り方法を提供することを目的とする。
【課題を解決するための手段】
【０００９】
上記目的を達成するために、本発明に関わるバイオディスク読み取り装置（１０）は、バイオディスク（１００）に照射するレーザ光を出射するレーザ発振器（１２６）、前記レーザ光を前記バイオディスク（１００）上に集光させるとともに、前記バイオディスク（１００）が備える反射層（１０２）上においては前記レーザ光を集光したスポット形状が前記バイオディスク（１００）のトラック方向に平行する方向に長軸を持つ楕円形状であり、前記バイオディスク（１００）が備える保護層（１０３）上に固定化された前記標識用ビーズ（２００）の読み取り位置においては前記レーザ光を集光したスポット形状が前記バイオディスク（１００）のトラック方向に直交する方向に長軸を持つ楕円形状となるように設定されている対物レンズ（１２１）、および前記バイオディスク（１００）上に集光した前記レーザ光の反射光を受光する受光部（１３０）、を備えるピックアップ部（１２）、前記受光部（１３０）からの信号に基づき、前記バイオディスク（１００）の保護層（１０３）上に固定化されている生体試料が結合した標識用ビーズ（２００）の数量を計数する標識用ビーズ検出部（２５）、を備えることを特徴とする。
【００１０】
また、本発明に係るバイオディスクの読み取り方法は、反射層（１０２）上に保護層（１０３）を備えるバイオディスク（１００）にレーザ光を照射し、前記照射したレーザ光の反射光に基づく信号を取得することにより、前記バイオディスク（１００）の保護層（１０３）上に固定化されている生体試料が結合した標識用ビーズ（２００）の数量を計数するバイオディスク読み取り方法であって、前記反射層（１０２）にフォーカスを合わせるステップ、前記反射層（１０２）におけるフォーカス位置から、前記レーザ光を集光したスポット形状が前記バイオディスク（１００）のトラック方向に平行する方向に長軸を持つ楕円形状であるとともにトラッキングエラー信号の振幅が最大値となる第１オフセット位置を検出するステップ、前記標識用ビーズ（２００）の読み取り位置においては前記レーザ光を集光したスポット形状が前記バイオディスクのトラック方向に直交する方向に長軸を持つ楕円形状であるとともに前記標識用ビーズ（２００）の読み取りによるＲＦ信号の振幅が最大となる第２オフセット位置を検出するステップ、前記第１オフセット位置と前記第２オフセット位置との中間位置において前記標識用ビーズ（２００）の読み取り動作を行うステップ、を備えることを特徴とする。
【発明の効果】
【００１１】
本発明によれば、バイオディスクの保護層を厚く形成した場合であっても、フォーカスずれによる影響が少なく、高精度に標識用ビーズを読み取ることができることを可能とする。
【図面の簡単な説明】
【００１２】
【図１】第１の実施形態に係るバイオディスク読み取り装置の構成ブロック図である。
【図２】第１の実施形態に係るピックアップ部の構成概念図である。
【図３】バイオディスクの断面構造を示す概念図である。
【図４】バイオディスクの断面構造を示す概念図である。
【図５】バイオディスク上における標識用ビーズの状態を示す概念図である。
【図６】バイオディスク上における標識用ビーズの状態を示す概念図である。
【図７】バイオディスク読み取り方法を示すフローチャートである。
【図８】第２の実施形態に係るバイオディスク読み取り装置の構成ブロック図である。
【図９】第２の実施形態に係るピックアップ部の構成概念図である。
【発明を実施するための形態】
【００１３】
以下、本発明の第１の実施形態に係るバイオディスク読み取り装置１０の構成について、図１および図２を用いて説明する。
【００１４】
図１は本発明におけるバイオディスク読み取り装置１０の構成ブロック図であり、図２はバイオディスク読み取り装置１０のピックアップ部１２の構成概念図である。バイオディスク読み取り装置１０およびピックアップ部１２は、記憶媒体としてのＣＤ、ＤＶＤ、ＢＤ（Blu-ray Disc）を読み取る装置およびピックアップ同様の構成であってもよい。
【００１５】
図１に示すバイオディスク読み取り装置１０は、装置における本発明に関連する構成のみを図示している。実際には図示した構成要素に加えて、電源や筐体などバイオディスク読み取り装置１０として動作および構成されることに必要な構成要素を含む。
【００１６】
バイオディスク読み取り装置１０は、バイオディスク１００を回転させるスピンドルモータ１１、バイオディスク１００の表面における情報を読み取るピックアップ部１２、ピックアップ部１２をバイオディスク１００の半径方向に移動させるスレッド部１３、バイオディスク読み取り装置１０の各部を制御する制御部２０から構成される。
【００１７】
スピンドルモータ１１は、後述する回転制御部２１の制御によってバイオディスク１００を所定の回転速度で回転させる。
【００１８】
制御部２０は、例えばＣＰＵ（Central Processing Unit）などの集積回路等により構成され、後述するメモリ部３０に記憶されたプログラムの実行、各種データの処理や演算を行う。制御部２０は、実行されるプログラムによって各種機能を実現する。本実施形態において制御部２０は、回転制御部２１、サーボ制御部２２、ＲＦ信号検出部２３、アドレス検出部２４、標識用ビーズ検出部２５を実現する。
【００１９】
回転制御部２１は、スピンドルモータ１１の回転を制御し、バイオディスク１００を所定の
回転数で回転させる。
【００２０】
サーボ制御部２２は、ピックアップ部１２が検出した反射光に基づく信号から、ＦＥ（フォーカスエラー）信号およびＴＥ（トラッキングエラー）信号を生成する。また、サーボ制御部２２は、生成されたＦＥ信号に基づき、ピックアップ部１２が備える電磁アクチュエータ等を制御し、フォーカス位置の制御を行う。また、サーボ制御部２２は、生成されたＴＥ信号に基づき、スレッド部１３を制御してピックアップ部１２におけるトラッキング位置の制御を行う。
【００２１】
ＲＦ信号検出部２３は、ピックアップ部１２に備えられた受光部１３０による４つの信号を広帯域のアンプにより加算および増幅してＲＦ信号を生成する。
【００２２】
アドレス検出部２４は、バイオディスク１００に設定されているアドレス用ピットを読み取ることによってＲＦ信号検出部２３から出力されたＲＦ信号を復調し、読み取り中のトラックを特定するアドレス情報を生成する。
【００２３】
標識用ビーズ検出部２５は、ＲＦ信号検出部２３で生成されたＲＦ信号の変化に基づきトラック上に固定されている標識用ビーズ２００を検出する。また、標識用ビーズ検出部２５は、検出した標識用ビーズ２００の計数を行う。
【００２４】
メモリ部３０は、ＲＯＭ（Read Only Memory）やＲＡＭ（Random Access Memory）から構成され、制御部２０において実行されるプログラムや、サーボ制御部２２によるサーボ制御パラメータ、アドレス検出部２４が生成したアドレス情報、標識用ビーズ検出部２５による検出結果等を記憶し、制御部２０の制御により読み出しと書き込みが制御される。
【００２５】
次に、図２を用いてピックアップ部１２の構成について説明する。ピックアップ部１２は、対物レンズ１２１、偏光プリズム１２３、コリメートレンズ１２５、レーザ発振器１２６、検出レンズ１２７、光検出部１２８を備え、光検出部１２８は受光部１３０を備える。
【００２６】
対物レンズ１２１は、レーザ発振器１２６から出射したレーザ光を、バイオディスク１００上に集光させる。対物レンズ１２１のＮＡ（Numerical aperture：開口数）も標識用ビーズ２００の大きさにより適切なものを選択する。例えば、直径が約１４０ｎｍの標識用ビーズ２００を使用する場合には、ＮＡが０．８５程度の対物レンズ１２１を用いることが望ましい。
【００２７】
偏光プリズム１２３は、レーザ発振器１２６から出射したレーザ光を透過し、反射光を光検出部１２８の方向へ偏光させる。コリメートレンズ１２５は、レーザ発振器１２６から出射したレーザ光を平行な光束とする。
【００２８】
レーザ発振器１２６は、レーザダイオードにより構成され、バイオディスク１００に照射するためのレーザ光を出射する。レーザ発振器１２６から出射されるレーザ光の波長は、標識用ビーズ２００の大きさにより適切なものを用いるが、例えば直径が約１４０ｎｍの標識用ビーズ２００を使用する場合には、レーザ光の波長が４００ｎｍ程度の青紫色レーザを出射するレーザダイオードを使用するのが望ましい。レーザ発振器１２６は、例えばBlu-ray（BD）ディスクの再生用と同一の波長４０５ｎｍの半導体レーザ発振器を用いることができる。
【００２９】
検出レンズ１２７は、コリメートレンズ１２５と半円筒型レンズなどの組み合わせによりフォーカスエラーを生成する仕組みとなっている。バイオディスク１００上のトラックまたはアドレス用ピット、標識用ビーズ２００の検出が球面収差により十分な品質で検出できない場合にはコリメートレンズ１２５に別の複数のレンズを追加して（図示せず）球面収差補正を行うことにより改善することもできる。
【００３０】
光検出部１２８は、偏光プリズム１２３で反射された反射光を電気信号に変換する。光検出部１２８が備える受光部１３０は、４分割された受光セルで構成され、その中央部に反射光が照射される。受光部１３０における受光セルを図２に示すようにＡからＤとすると、ＲＦ信号検出部２３によって検出されるＲＦ信号は、受光部１３０を構成するそれぞれの受光セルによる出力の広帯域の総和信号（Ａ＋Ｂ＋Ｃ＋Ｄ）で生成され、サーボ制御部２２において生成されるＴＥ信号は（Ａ＋Ｃ）−（Ｂ＋Ｄ）の演算で生成され、ＦＥ信号は（Ａ＋Ｄ）−（Ｂ＋Ｃ）の演算で生成される。
【００３１】
次に、本発明の実施形態に係るバイオディスク読み取り装置１０が読み取るバイオディスク１００の構造について、図３から図６を用いて説明する。
【００３２】
バイオディスク１００の表面には、図３に示すようにスパイラル状のグルーブ１０７およびランド１０８により、読み取りトラック１１０が構成されている。読み取りトラック１１０は、グルーブ１０７およびランド１０８に限らず、ピットによって構成されてもよい。
【００３３】
また、バイオディスク１００は、図４に示すようにディスク基板１０１上に反射層１０２および保護層１０３が形成されている。ディスク基板１０１は、通常の光ディスクとして用いられているポリカーボネート等の樹脂材料であり、読み取りトラック１１０のピッチがＢＤと同一の０．３２μｍとなるように、グルーブ１０７およびランド１０８が形成されている。
【００３４】
ディスク基板１０１上には、スパッタリングにより厚さ６０ｎｍのＡｇによる反射層１０２が形成される。また、反射層１０２上には、スパッタリングにより厚さ２００ｎｍのＳｉＯ2による保護層１０３が形成される。反射層１０２の素材や厚さは、上記に限らない。また、保護層１０３の素材や厚さも上記に限らない。例えば、保護層１０３は、オレフィン系の樹脂をスピンコートにより形成してもよい。
【００３５】
このような構成のバイオディスク１００の表面には、図５または図６に示すように標識用ビーズ２００が固定化されている。このようなバイオディスク１００は、以下のように形成される。
【００３６】
例えば、図５に示すように、保護層１０３がＳｉＯ2である場合、先ず、保護層１０３の表面を酸素プラズマによりアッシングし、表面にＯＨ基を発生させる。その後、アミノシラン溶液に反応させて脱水結合させることで、保護層１０３の表面をアミノ基によって修飾する。次に、アミノ基によって修飾された保護層１０３の表面にビオチン溶液を反応させ、共有結合によって表面をビオチン化する。
【００３７】
このようなバイオディスク１００上に、計数対象となるアビジンが含まれる溶液を滴下し、溶液中のアビジン２２０を、バイオディスク１００上のビオチン２１０と反応させることによって、アビジン２２０は、バイオディスク１００上のビオチン２１０と結合して固定化される。アビジン２２０は、ビオチン２１０に特異的に反応する。１つのアビジン２２０は、４つのビオチン２１０と反応する部位を有するため、バイオディスク１００上に固定化された後もビオチン２１０との結合部位を有している。
【００３８】
次に、アビジン２２０が固定化されたバイオディスク１００上に、ビオチン化した標識用ビーズ２００を含む溶液を滴下する。滴下された標識用ビーズ２００は、サンドイッチ法により、計数対象となるアビジン２２０と結合し、バイオディスク１００の表面に標識用ビーズ２００が固定化される。
【００３９】
また、図６に示すように、保護層１０３がオレフィン系樹脂である場合、先ず、保護層１０３上にシリコン樹脂からなるウェルを装着し、ウェル中に炭酸バッファーで希釈した抗体２３０を含む溶液を注入する。この状態で数時間から数十時間インキュベーションすることにより、保護層１０３の表面に抗体２３０を疎水的に吸着させる。
【００４０】
抗体２３０の吸着後は、ウェルより溶液を廃棄洗浄し、計数対象となる抗原２４０が含まれた溶液をウェル中に注入する。また、標識用ビーズ２００に、保護層１０３上に吸着させた抗体２３０とは異なる部位と特異的に反応する抗体２３０を固定させ、標識用ビーズ２００を含む溶液をウェル中に注入する。これらの処理によって、抗原抗体反応により、バイオディスク１００の表面に標識用ビーズ２００が固定化される。
【００４１】
本発明におけるバイオディスク読み取り装置１０は、図５または図６に示したようなバイオディスク１００上に固定化された標識用ビーズ２００を光学的に読み取ることで、標識用ビーズ２００に結合されているアビジンや抗原または抗体などの生体高分子を計数する。
【００４２】
次に、本発明の第１の実施形態に係るバイオディスク読み取り装置１０による読み取り方法について、図７を用いて説明する。
【００４３】
ここで用いられるピックアップ部１２は、図２に示す構造において対物レンズ１２１の非点収差の方向をバイオディスク１００の読み取りトラック１１０の方向に合わせた状態で搭載されている。具体的には、対物レンズ１２１の非点収差によるスポット広がり方向が、対物レンズ１２１の焦点位置に対して遠ざかる側で読み取りトラック１１０と平行となり、対物レンズ１２１の焦点位置に対して近づく側で読み取りトラック１１０と直交するように設定されている。
【００４４】
先ず、サーボ制御部２２はＦＥ信号に基づきフォーカスサーボを調整する。サーボ制御部２２はＦＥ信号に基づいて電磁アクチュエータを制御し、フォーカス位置を反射層１０２に合わせる（ステップＳ１０）。
【００４５】
次に、サーボ制御部２２はトラッキングサーボがＯＦＦの状態でＴＥ信号の振幅が最大となる位置までフォーカスをオフセットさせ（ステップＳ１１）、そのときのオフセット位置を第１のオフセット位置としてメモリ部３０に記憶する（ステップＳ１２）。ステップＳ１１の状態においては、反射層１０２上におけるスポット形状は、非点収差によってトラック１１０と平行する方向に長軸を持つ楕円形状である。
【００４６】
次に、サーボ制御部２２はトラッキングサーボをＯＮ（ステップＳ１３）とし、標識用ビーズ２００を読み取ったときに、ＲＦ信号の振幅が最大となる位置にフォーカスをオフセットさせ（ステップＳ１４）、そのときのオフセット位置を第２のオフセット位置としてメモリ部３０に記憶する（ステップＳ１５）。ステップＳ１４の状態においては、保護層１０３上におけるスポット形状は、非点収差によってトラック１１０と直交する方向に長軸を持つ楕円形状である。
【００４７】
次に、サーボ制御部２２はステップＳ１２で記憶した第１のオフセット位置とステップＳ１５において記憶した第２のオフセット位置の中間位置にフォーカス位置を移動させる（ステップＳ１６）。ステップＳ１６において調整されたフォーカス位置は、ＴＥ信号の振幅と、ＲＦ信号による標識用ビーズ２００の読み取りの双方に適切な位置となる。ステップＳ１６において調整されるフォーカス位置は、厳密に第１のオフセット位置と第２のオフセット位置の中間ではなくとも、ある程度の幅を持たせてもよい。
【００４８】
上述したように、第１のオフセット位置と第２のオフセット位置との中間位置をフォーカス位置として、標識用ビーズ２００を計数するため、標識用ビーズ２００が保護層１０３上に固定化されていても、トラッキングを高精度に保ちながら、高精度に標識用ビーズ２００の数量を計数することができる。
【００４９】
さらに、このようなバイオディスク読み取り装置１０によりバイオディスク１００を読み取るため、バイオディスク１００の保護層１０３の厚さが厚い場合であっても、トラッキングを高精度に保ちながら、高精度に標識用ビーズ２００の計数することができる。具体例としては、対物レンズ１２１のＮＡが０．８５である場合、保護層１０３の厚さが２００ｎｍ程度まで対応可能である。
【００５０】
次に、  本発明の第２の実施形態に係るバイオディスク読み取り装置１０の構成について、図８および図９を用いて説明する。図８および図９においては、第１の実施形態に係るバイオディスク読み取り装置１０と同一の構成については説明を省略する。
【００５１】
図８に示すように、本実施形態のバイオディスク読み取り装置１０は、制御部２０が実行するプログラムによって、収差調整部２６を実現する。また、図９に示すように、本実施形態のピックアップ部１２は、対物レンズ１２１の前に収差発生素子１２２をさらに備える。
【００５２】
収差調整部２６は、収差発生素子１２２に印加する電圧を調整することで、対物レンズ１２１が集光するレーザ光の非点収差を発生させる制御を行う。
【００５３】
収差発生素子１２２は、例えば液晶素子によって構成され、液晶素子上の複数領域毎に構成された電極に対して電圧を印加することにより、透過するレーザ光に位相差を発生させ非点収差を発生させる。
【００５４】
第２の実施形態におけるバイオディスク１００の読み取り方法は、図７に示した第１の実施形態におけるバイオディスク１００の読み取り方法と同一である。第１の実施形態においては、ピックアップ部１２は、対物レンズ１２１の非点収差によるスポット広がり方向が、対物レンズ１２１の焦点位置に対して遠ざかる側で読み取りトラック１１０と平行となり、対物レンズ１２１の焦点位置に対して近づく側で読み取りトラック１１０と直交するように予め設定されている。
【００５５】
このように予めピックアップ部１２が設定されている場合においては、本発明が実施可能な保護層１０３の厚さが限定されてしまう。本実施形態においては、保護層１０３の厚さに合わせて、適切に非点収差が生成されるように、収差調整部２６が収差発生素子１２２を駆動して調整する。
【００５６】
このため、様々な保護層１０３の厚さに対しても本発明の技術を適用させることができ、保護層１０３の厚さがバイオディスク１００の種類や個体差によって異なる場合であっても、トラッキングを高精度に保ちながら、高精度に標識用ビーズ２００の数量を計数することができる。
【符号の説明】
【００５７】
１０：バイオディスク読み取り装置、１２：ピックアップ部、２０：制御部、２１：回転制御部、２２：サーボ制御部、２３：ＲＦ信号検出部、２４：アドレス検出部、２５：標識用ビーズ検出部、２６：収差調整部、３０：メモリ部、１００：バイオディスク、１０１：ディスク基板、１０２：反射層、１０３：保護層、１０７：グルーブ、１０８：ランド、１１０：読み取りトラック、１２１：対物レンズ、１２２：収差発生素子、１２３：偏光プリズム、１２５：集光レンズ、１２６：レーザ発振器、１２７：検出レンズ、１２８：光検出部、１３０：受光部、２００：標識用ビーズ、２１０：ビオチン、２２０：アビジン、２３０：抗体、２４０：抗原
【図１】
2014115211.tif 000003
【図２】
2014115211.tif 000004
【図３】
2014115211.tif 000005
【図４】
2014115211.tif 000006
【図５】
2014115211.tif 000007
【図６】
2014115211.tif 000008
【図７】
2014115211.tif 000009
【図８】
2014115211.tif 000010
【図９】
2014115211.tif 000011